(57)【要約】      （修正有）【課題】患者に対応する残置薬の有無などを容易に把握することが可能な調剤管理システム及び調剤管理プログラムを提供する。【解決手段】調剤管理システム１のサーバ２は、処方データに関する薬品の受け渡しの処理済入力を受け付ける受付処理部２１１と、処理対象となる処方データを選択する選択処理部２１２と、選択処理部２１２により選択された処方データと患者が同じ処方データであって受付処理部２１１により処理済入力が受け付けられていない処方データに関する情報を、予め定められた特定期間内に発行された第１処方データと特定期間外に発行された第２処方データとが区別可能な態様で表示する表示処理部２１３と、を備える。【選択図】図１
2020149276.tif 000002
【特許請求の範囲】
【請求項１】
処方データに関する薬品の受け渡しの処理済入力を受け付ける受付処理部と、
処理対象となる前記処方データを選択する選択処理部と、
前記選択処理部により選択された前記処方データと患者が同じ処方データであって前記受付処理部により前記処理済入力が受け付けられていない処方データに関する情報を、予め定められた特定期間内に発行された第１処方データと前記特定期間外に発行された第２処方データとが区別可能な態様で表示する表示処理部と、
を備える調剤管理システム。
【請求項２】
前記表示処理部は、前記選択処理部により選択された前記処方データと患者が同じ処方データであって前記受付処理部により前記処理済入力が既に受け付けられている処方データに関する情報を、前記第１処方データと前記第２処方データとが区別可能な態様で更に表示する、
請求項１に記載の調剤管理システム。
【請求項３】
前記表示処理部は、前記受付処理部により前記処理済入力が受け付けられていない処方データと、前記受付処理部により前記処理済入力が既に受け付けられている処方データとを区別可能な態様で表示する、
請求項２に記載の調剤管理システム。
【請求項４】
前記特定期間は、前記表示処理部による表示が実行される当日である、
請求項１〜３のいずれかに記載の調剤管理システム。
【請求項５】
一の患者について前記特定期間内に発行された全ての前記処方データについて前記受付処理部により前記処理済入力が受け付けられた場合に、当該処方データに関する情報を含むラベルを印刷する印刷処理部を備える、
請求項１〜４のいずれかに記載の調剤管理システム。
【請求項６】
前記処方データを識別可能なコード情報を含む印刷物を発行する発行処理部を備え、
前記選択処理部は、前記コード情報がコード読取部によって読み取られた場合に当該コード情報に対応する前記処方データの選択を受け付ける、
請求項１〜５のいずれかに記載の調剤管理システム。
【請求項７】
前記受付処理部は、前記処方データに対応する薬品の前記引換券に印刷される引換コード情報と、当該処方データに対応する薬品が収容される薬袋に印刷される薬袋コード情報とがコード読取部によって連続して読み取られた場合に、当該コード情報に対応する前記処方データの処理済入力を受け付ける、
請求項６に記載の調剤管理システム。
【請求項８】
処方データに関する薬品の受け渡しの処理済入力を受け付けるステップと、
処理対象となる前記処方データを選択するステップと、
選択された前記処方データと患者が同じ処方データであって前記処理済入力が受け付けられていない処方データに関する情報を、予め定められた特定期間内に発行された第１処方データと前記特定期間外に発行された第２処方データとが区別可能な態様で表示するステップと、
をコンピュータに実行させるための調剤管理プログラム。
【発明の詳細な説明】
【技術分野】
【０００１】
本発明は、病院等の医療機関における薬品の調剤業務などを管理する調剤管理システムに関する。
【背景技術】
【０００２】
病院等の医療機関では、医師によって処方内容が電子カルテシステム等に入力されることにより処方データが発行される。そして、処方データに基づいて調剤された薬品は、投薬窓口で患者に渡される。なお、医療機関において行われる調剤業務などを管理するための調剤管理システムが従来から知られている（例えば特許文献１参照）。
【先行技術文献】
【特許文献】
【０００３】
【特許文献１】特開２０１７−１３０２２６号公報
【発明の概要】
【発明が解決しようとする課題】
【０００４】
ところで、処方データの発行日に患者が投薬窓口に薬品を取りに来なかった場合、その薬品は、患者に渡されずに残った残置薬として医療機関で保管されることになる。なお、残置薬は、その患者が次に投薬窓口に来た際に渡されることが望ましい。しかしながら、投薬窓口の担当者は、患者各々に対応する残置薬の有無などを容易に把握することができず、投薬窓口における業務効率が悪いという問題がある。
【０００５】
本発明の目的は、患者に対応する残置薬の有無などを容易に把握することが可能な調剤管理システム及び調剤管理プログラムを提供することにある。
【課題を解決するための手段】
【０００６】
本発明に係る調剤管理システムは、処方データに関する薬品の受け渡しの処理済入力を受け付ける受付処理部と、処理対象となる前記処方データを選択する選択処理部と、前記選択処理部により選択された前記処方データと患者が同じ処方データであって前記受付処理部により前記処理済入力が受け付けられていない処方データに関する情報を、予め定められた特定期間内に発行された第１処方データと前記特定期間外に発行された第２処方データとが区別可能な態様で表示する表示処理部と、を備える。
【０００７】
本発明に係る調剤管理プログラムは、処方データに関する薬品の受け渡しの処理済入力を受け付けるステップと、処理対象となる前記処方データを選択するステップと、選択された前記処方データと患者が同じ処方データであって前記処理済入力が受け付けられていない処方データに関する情報を、予め定められた特定期間内に発行された第１処方データと前記特定期間外に発行された第２処方データとが区別可能な態様で表示するステップと、をコンピュータに実行させるためのプログラムである。
【発明の効果】
【０００８】
本発明によれば、患者に対応する残置薬の有無を容易に把握することが可能な調剤管理システム及び調剤管理プログラムが提供される。
【図面の簡単な説明】
【０００９】
【図１】図１は、本発明の実施の形態に係る調剤管理システムの概略構成を示すブロック図である。
【図２】図２は、本発明の実施の形態に係る調剤管理システムで使用される処方管理情報の一例を示す図である。
【図３】図３は、本発明の実施の形態に係る調剤管理システムで使用される調剤管理処理の一例を示すフローチャートである。
【図４】図４は、本発明の実施の形態に係る調剤管理システムで発行される薬袋の一例を示す図である。
【図５】図５は、本発明の実施の形態に係る調剤管理システムで発行される引換券の一例を示す図である。
【図６Ａ】図６Ａは、本発明の実施の形態に係る調剤管理システムで実行される投薬窓口支援処理の一例を示すフローチャートである。
【図６Ｂ】図６Ｂは、本発明の実施の形態に係る調剤管理システムで実行される投薬窓口支援処理の一例を示すフローチャートである。
【図７】図７は、本発明の実施の形態に係る調剤管理システムで投薬窓口画面の表示例を示す図である。
【図８】図８は、本発明の実施の形態に係る調剤管理システムで投薬窓口画面の表示例を示す図である。
【図９】図９は、本発明の実施の形態に係る調剤管理システムで投薬窓口画面の表示例を示す図である。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
［調剤管理システム１］
図１に示すように、本発明の実施の形態に係る調剤管理システム１は、サーバー２、クライアント端末３などを備える。サーバー２及びクライアント端末３は、ＬＡＮ、ＷＡＮ、インターネット、又はイントラネットなどの通信網Ｎ１を介して無線又は有線で通信可能に接続されている。また、サーバー２には、上位システム６、調剤機器７、プリンタ８などが通信網Ｎ１を介して接続されている。
【００１２】
上位システム６は、医師により登録される処方データをサーバー２に入力する電子カルテシステム又は処方入力端末などである。前記処方データには、例えば「処方ＩＤ」、「患者ＩＤ」、「引換券番号」、「オーダーＮｏ．」、「処方区分」、「バーコード情報」、「処方発行日」、「患者名」、「患者生年月日」、「薬品情報（薬品コード、薬品名、用量など）」、「剤形情報（内服、外用など）」、「用法情報（１日３回毎食後など）」、「診療種別（外来、入院など）」、「診療科」、「病棟」、及び「病室」などの情報が含まれる。なお、上位システム６では、前記処方データの処方発行日において連番となるように引換券番号が採番される。即ち、前記処方データは、処方発行日及び引換券番号の組み合わせにより識別可能である。なお、他の実施形態として、サーバー２側で制御部２１によって引換券番号が処方発行日ごとに採番され、前記処方データに付加されることも考えられる。
【００１３】
調剤機器７は、サーバー２から入力される調剤データに基づいて薬品を調剤するために使用される。例えば、調剤機器７は、錠剤分包機、散薬分包機、水剤分注機、シート払出装置、ピッキング補助装置、抗がん剤調製支援システム、混注装置、薬剤秤量装置、調剤鑑査装置、及び鑑別装置などである。
【００１４】
プリンタ８は、サーバー２又はクライアント端末３から受信するプリントデータに基づいて各種の情報を印刷するために用いられる。具体的に、薬品を調剤する調剤室に配置されたプリンタ８は、前記処方データに基づく調剤を行うための情報が記載された処方箋、及び、前記処方データに基づく調剤後の薬品が収容される薬袋などの印刷物の印刷に用いられる。また、患者が会計を行う会計窓口に配置されたプリンタ８は、患者が投薬窓口で薬品を受け取るために必要な引換券などの印刷物の印刷に用いられる。
【００１５】
［クライアント端末３］
図１に示すように、クライアント端末３は、制御部３１、データ記憶部３２、通信インターフェース３３、表示部３４、操作部３５、及びバーコードリーダー３６などを備えるパーソナルコンピュータである。クライアント端末３に設けられた各構成要素はバス３０によって接続されている。
【００１６】
クライアント端末３は、調剤管理システム１が使用される医療機関において、薬品の調剤が行われる調剤室、薬品が患者に渡される投薬窓口、会計が行われる会計窓口などに設置される。以下、前記調剤室、前記投薬窓口、前記会計窓口にそれぞれ設置されたクライアント端末３を区別する場合には、クライアント端末３Ａ、クライアント端末３Ｂ、クライアント端末３Ｃと称することがある。また、サーバー２では、クライアント端末３各々の設置場所を示す情報（例えばＩＰアドレス等）が予め設定されており、制御部２１はサーバー２にアクセスするクライアント端末３各々の設置場所を認識可能である。なお、クライアント端末３各々には、設置場所に応じて異なるアプリケーションプログラムが記憶されていてもよい。
【００１７】
制御部３１は、ＣＰＵ、ＲＯＭ、ＲＡＭ、及びＥＥＰＲＯＭ（登録商標、以下同様）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、制御部２１は、前記ＣＰＵを用いて、前記ＲＯＭ、前記ＥＥＰＲＯＭ、又はデータ記憶部３２に予め記憶された各種の制御プログラムに従って各種の処理を実行する。
【００１８】
通信インターフェース３３は、通信網Ｎ１を介してサーバー２等との間で、予め定められた通信プロトコルに従って無線又は有線でデータ通信を実行するネットワークカード等を有する。
【００１９】
表示部３４は、制御部３１からの制御指示に従って各種の情報を表示する液晶ディスプレイ又は有機ＥＬディスプレイなどの表示手段である。また、表示部３４は、制御部３１からの制御指示に従って音声を出力するスピーカー等も備える。
【００２０】
操作部３５は、クライアント端末３に各種の情報を入力するためにユーザーによって操作されるキーボード及びマウス（ポインティングデバイス）などの操作手段である。また、操作部３５は、表示部３４の表示画面に対するタッチ操作を受け付けるタッチパネル、又は音声認識により各種情報の入力を受け付ける音声入力装置であってもよい。クライアント端末３において、薬剤師等のユーザーによる「操作」、「選択」、「入力」などの作業は操作部３５を用いて行われる。
【００２１】
バーコードリーダー３６は、バーコード等の一次元コード又はＱＲコード（登録商標）等の二次元コードのようなコード情報を読み取るコード読取部の一例である。具体的に、クライアント端末３において、バーコードリーダー３６は、処方箋、前記薬袋、前記引換券などから、処方データを識別可能な処方識別情報を示すコード情報を読み取るために用いられる。バーコードリーダー３６で読み取られるコード情報は制御部３１に入力され、制御部３１によってサーバー２に送信される。
【００２２】
［サーバー２］
図１に示すように、サーバー２は、制御部２１、データ記憶部２２、通信インターフェース２３、表示部２４、操作部２５、及びドライブ装置２６などを備えるパーソナルコンピュータである。サーバー２に設けられた各構成要素はバス２０によって接続されている。なお、サーバー２は、調剤管理システム１が使用される医療機関等の外部に設けられてもよい。
【００２３】
通信インターフェース２３は、通信網Ｎ１を介してクライアント端末３、上位システム６、及び調剤機器７等との間で、予め定められた通信プロトコルに従って無線又は有線でデータ通信を実行するネットワークカード等を有する。
【００２４】
表示部２４は、制御部２１からの制御指示に従って各種の情報を表示する液晶ディスプレイ又は有機ＥＬディスプレイなどの表示手段である。操作部２５は、サーバー２に各種の情報を入力するためにユーザーによって操作されるキーボード、マウス（ポインティングデバイス）、タッチパネルなどの操作手段である。
【００２５】
ドライブ装置２６は、後述の投薬窓口支援処理（図５参照）などを制御部２１に実行させるための調剤管理プログラムが記録されたコンピュータ読み取り可能な記録媒体２７から前記調剤管理プログラムを読み取ることが可能である。記録媒体２７は、ＣＤ、ＤＶＤ、ＢＤ、又はＵＳＢメモリなどである。サーバー２では、制御部２１により、記録媒体２７からドライブ装置２６で読み取られた前記調剤管理プログラムがデータ記憶部２２にインストールされる。
【００２６】
制御部２１は、ＣＰＵ、ＲＯＭ、ＲＡＭ、及びＥＥＰＲＯＭ（登録商標、以下同様）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、制御部２１は、前記ＣＰＵを用いて、前記ＲＯＭ、前記ＥＥＰＲＯＭ、又はデータ記憶部２２に予め記憶された各種の制御プログラムに従って各種の処理を実行する。
【００２７】
データ記憶部２２は、制御部２１によって実行される各種のアプリケーションプログラム及び各種のデータを記憶するハードディスク又はＳＳＤ等の不揮発性の記憶手段である。具体的に、データ記憶部２２には前記調剤管理プログラムが記憶されている。
【００２８】
また、データ記憶部２２には、薬品マスター、患者マスター、薬剤師マスター、処方箋区分マスター、診療科マスター、及び病棟マスターなどの各種データベースも記憶されている。例えば、前記薬品マスターには、薬品コード、薬品名、ＪＡＮコード（又はＲＳＳ）、薬瓶コード、区分（剤形：散薬、錠剤、水剤、外用薬など）、比重、薬品種（普通薬、毒薬、麻薬、劇薬、抗精神薬、治療薬など）、配合変化、賦形薬品、注意事項などの情報が含まれる。また、前記患者マスターには、患者各々の患者ＩＤ、氏名、性別、年齢、既往歴、家族情報、診療科、病棟、及び病室などの情報が含まれる。
【００２９】
また、データ記憶部２２は、処方データ記憶部２２１及び管理データ記憶部２２２を有する。制御部２１は、上位システム６から取得する処方データを処方データ記憶部２２１に記憶し、前記処方データ各々に基づく調剤作業の進捗に関する処方管理情報Ｄ１を管理データ記憶部２２２に記憶する。
【００３０】
ここに、図２は処方管理情報Ｄ１の一例を示す図である。図２に示すように、処方管理情報Ｄ１には、前記処方データのうち「患者ＩＤ」、「引換券番号」、「オーダーＮｏ．」、「処方区分」、「バーコード情報」、「処方発行日」などの情報が記憶されている。また、処方管理情報Ｄ１には、前記処方データに基づく調剤が完了したこと及びその日時を示す情報として「調剤完了日時」、前記処方データに基づいて調剤された薬品が患者に渡されたこと及びその日時を示す情報として「投薬完了日時」なども記録される。なお、本実施形態では、前記処方データと処方管理情報Ｄ１とは別の情報であるが、他の実施形態として、処方管理情報Ｄ１の情報が前記処方データの一部の情報として扱われてもよい。
【００３１】
ところで、処方データの発行日に患者が投薬窓口に薬品を取りに来なかった場合、その薬品は、患者に渡されずに残った残置薬として医療機関で保管されることになる。なお、残置薬は、その患者が次に投薬窓口に来た際に渡されることが望ましい。しかしながら、投薬窓口の担当者は、患者各々に対応する残置薬の有無などを容易に把握することができず、投薬窓口における業務効率が悪いという問題がある。これに対し、本実施形態に係る調剤管理システム１では、患者に対応する残置薬の有無などを容易に把握することが可能である。
【００３２】
具体的に、図１に示されるように、サーバー２の制御部２１は、受付処理部２１１、選択処理部２１２、表示処理部２１３、発行処理部２１４、印刷処理部２１５などを含む。なお、制御部２１は、データ記憶部２２に記憶されている調剤管理プログラムに従って各種の処理を実行することにより各種の処理部として機能する。また、前記各種の処理部の機能は、調剤管理システム１において、サーバー２及びクライアント端末３が協働して実現されてもよい。なお、前記各種の処理部が個別の電子回路で構成されていてもよい。
【００３３】
受付処理部２１１は、処方データに関する薬品の受け渡しの処理済入力を受け付ける。例えば、受付処理部２１１は、前記薬袋からバーコードリーダー３６によって読み取られるコード情報と、前記引換券からバーコードリーダー３６によって読み取られるコード情報とが同一の処方データを示す場合に、当該処方データについて処理済入力を受け付けたと判断する。なお、前記薬袋及び前記引換券に印刷されるコード情報が同一である場合、受付処理部２１１は、バーコードリーダー３６によって同一の前記コード情報が連続して２回読み取られることを、当該コード情報に対応する前記処方データについての処理済操作として受け付けてもよい。
【００３４】
選択処理部２１２は、処理対象となる前記処方データを選択する。具体的に、選択処理部２１２は、バーコードリーダー３６によって前記引換券から後述の引換バーコードＤ３が読み取られることにより、当該引換バーコードＤ３が示す前記処方データを処理対象として選択する。また、選択処理部２１２は、操作部３５に対する所定のユーザー操作により前記処方データを選択する操作を受け付けた場合に、当該処方データを処理対象として選択してもよい。
【００３５】
表示処理部２１３は、選択処理部２１２により選択された前記処方データと患者が同じ処方データであって受付処理部２１１により前記処理済入力が受け付けられていない処方データに関する情報を、予め定められた特定期間内に発行された第１処方データと前記特定期間外に発行された第２処方データとが区別可能な態様で表示する。具体的に、表示処理部２１３は、発行日が前記特定期間内である第１処方データと前記特定期間外である第２処方データとを区別可能な態様で表示させるための表示データをクライアント端末３Ｂに送信することにより、当該クライアント端末３Ｂの表示部３４に表示させる。本実施形態では、前記特定期間が、表示処理部２１３による表示が実行される当日である場合を例に挙げて説明する。なお、以下では、表示処理部２１３による表示が実行される日を単に「当日」と称することがある。
【００３６】
発行処理部２１４は、前記処方データを識別可能なコード情報を発行する。具体的に、発行処理部２１４は、前記処方データに対応する処方発行日及び引換券番号を含むコード情報を発行する。なお、前記コード情報は、前記処方データを識別可能な情報であれば、これに限らず、例えば前記処方データに対応する処方ＩＤ及び患者ＩＤなどの他の情報であってもよい。
【００３７】
印刷処理部２１５は、一の患者について前記特定期間内に発行された全ての前記処方データについて受付処理部２１１により処理済入力が受け付けられた場合に、当該処方データに関する情報を含むラベルを印刷する。換言すれば、印刷処理部２１５は、一の患者について前記特定期間内に発行された全ての前記処方データについて受付処理部２１１により処理済入力が受け付けられていない場合には、当該処方データに関する情報を含むラベルを印刷しない。なお、前記ラベルは、患者の薬品の服用履歴などを管理するために用いられるおくすり手帳とも称される手帳に貼付される目的で使用される。また、印刷処理部２１５は、前記処方データが、投薬窓口で前記ラベルを発行する必要のあるおくすり手帳発行対象であるか否かを判定し、おくすり手帳発行対象である場合にのみ前記ラベルを印刷してもよい。
【００３８】
［調剤管理処理］
以下、図３を参照しつつ、サーバー２の制御部２１によって実行される調剤管理処理の手順の一例について説明する。
【００３９】
＜ステップＳ１１＞
ステップＳ１１において、制御部２１は、上位システム６から処方データを取得したか否かを判断する。ここで、前記処方データを取得したと判断されると（Ｓ１１：Ｙｅｓ）
と、処理がステップＳ１２に移行し、前記処方データを取得していないと判断されると（Ｓ１１：Ｎｏ）、処理がステップＳ１４に移行する。
【００４０】
＜ステップＳ１２＞
ステップＳ１２において、制御部２１は、前記ステップＳ１１で取得したと判断された前記処方データを処方データ記憶部２２１に記憶すると共に、当該処方データに対応する処方管理情報Ｄ１を生成して管理データ記憶部２２２に記憶する。なお、この時点では、処方管理情報Ｄ１における調剤完了日時、投薬完了日時には情報が記録されていない。
【００４１】
＜ステップＳ１３＞
ステップＳ１３において、制御部２１は、前記ステップＳ１１で取得したと判断された前記処方データを識別可能なコード情報が記される処方箋及び前記薬袋を発行する処理を実行する。なお、係る処理は制御部２１の発行処理部２１４によって実行される。
【００４２】
具体的に、制御部２１は、前記処方データに対応するコード情報が記される処方箋及び前記薬袋のプリントデータを生成し、前記調剤室などに設けられたプリンタ８に送信することにより、当該プリンタ８を用いて処方箋及び前記薬袋を印刷する。なお、制御部２１は、前記プリントデータを調剤室のクライアント端末３Ａに送信し、当該クライアント端末３Ａに当該プリントデータを印刷するための処理を実行させてもよい。
【００４３】
ここに、図４は、前記ステップＳ１３における前記薬袋の印刷結果の一例を示す図である。図４に示されるように、前記薬袋には、患者名、用法、用量、処方薬などの情報が印刷される。また、前記薬袋には、当該薬袋に収容される薬品に対応する処方データを識別可能なコード情報であって、当該コード情報が前記薬袋に印刷されたものであることを示す情報を含む薬袋コード情報として薬袋バーコードＤ２が印刷される。具体的に、薬袋バーコードＤ２では、前記処方データの処方発行日及び引換券番号などが含まれる。例えば、薬袋バーコードＤ２は、処方データの処方発行日を示す８桁の数字（例えば２０１８０１０１）と、引換券番号を示す４桁の数字（例えば０００１）と、薬袋である旨を示す１桁の文字（たとえば「Ｙ」）とを含む情報であることが考えられる。なお、薬袋バーコードＤ２には、薬袋バーコードＤ２と前記引換券に印刷される後述の引換バーコードＤ３とを区別するための情報として、薬袋である旨を示す文字に代えて、発行元を示す情報が含まれていてもよい。
【００４４】
＜ステップＳ１４＞
ステップＳ１４において、制御部２１は、前記処方データに基づく調剤が完了したか否かを判断する。ここで、調剤が完了したと判断されると（Ｓ１４：Ｙｅｓ）、処理がステップＳ１５に移行し、調剤が完了していないと判断されると（Ｓ１４：Ｎｏ）、処理がステップＳ１６に移行する。
【００４５】
例えば、制御部２１は、前記処方データに基づく調剤の完了通知を調剤機器７から受信した場合に、当該処方データに基づく調剤が完了したと判断することが考えられる。また、調剤機器７で自動的に調剤することができない処方データについては、薬剤師によって手作業で調剤が行われるため、当該処方データに基づく調剤の完了通知は、クライアント端末３Ａに対するユーザー操作に応じて送信されることが考えられる。この場合、制御部２１は、クライアント端末３Ａからの完了通知の受信に応じて前記処方データに基づく調剤が完了したと判断する。なお、前記完了通知は、調剤後の薬品の鑑査が行われたときに、クライアント端末３Ａに対するユーザー操作に応じて送信されてもよい。
【００４６】
＜ステップＳ１５＞
ステップＳ１５において、制御部２１は、前記ステップＳ１４で調剤が完了したと判断された前記処方データに対応する処方管理情報Ｄ１を更新する。具体的に、制御部２１は、前記処方データに対応する処方管理情報Ｄ１における調剤完了日時に現在の日時を記録する。これにより、制御部２１は、前記処方データ各々について調剤が完了しているか否かを処方管理情報Ｄ１に基づいて判断することが可能である。
【００４７】
＜ステップＳ１６＞
ステップＳ１６において、制御部２１は、患者による会計が完了したか否かを判断する。ここで、会計が完了したと判断されると（Ｓ１６：Ｙｅｓ）、処理がステップＳ１７に移行し、会計が完了していないと判断されると（Ｓ１６：Ｎｏ）、処理がステップＳ１８に移行する。
【００４８】
＜ステップＳ１７＞
ステップＳ１７において、制御部２１は、前記ステップＳ１６で会計が終了したと判断された患者の前記処方データを識別可能なコード情報を含む引換券を発行する処理を実行する。係る処理は、制御部２１の発行処理部２１４によって実行される。なお、制御部２１は、前記ステップＳ１６で会計が終了したと判断された患者について未だ印刷されていない引換券が存在する場合に当該引換券を印刷し、当該患者について未だ印刷されていない引換券が存在しない場合には当該引換券が印刷されない。例えば、前記処方データが発行されていない患者については引換券が印刷されない。
【００４９】
具体的に、制御部２１は、前記処方データに対応するコード情報を含む引換券のプリントデータを生成し、前記会計窓口に設けられたプリンタ８に送信することにより、当該プリンタ８を用いて引換券を印刷する。なお、制御部２１は、前記プリントデータを会計窓口のクライアント端末３Ｃに送信し、当該クライアント端末３Ｃに当該プリントデータを印刷するための処理を実行させてもよい。
【００５０】
ここに、図５は、前記ステップＳ１３における前記引換券の印刷結果の一例を示す図である。図５に示されるように、前記引換券には、患者名及び引換券番号などの情報が印刷される。また、前記引換券には、当該引換券に対応する処方データを識別可能な引換コード情報として引換バーコードＤ３が印刷される。具体的に、引換バーコードＤ３では、前記処方データの処方発行日及び引換券番号などが含まれる。例えば、引換バーコードＤ３は、処方データの処方発行を示す８桁の数字（例えば２０１８０１０１）と、引換券番号の４桁の数字（例えば０００１）とを含む情報であることが考えられる。即ち、引換バーコードＤ３は、薬袋バーコードＤ２には含まれている薬袋である旨を示す文字（たとえば「Ｙ」）が含まれていないことで、引換券に印刷されたコード情報である旨を示す。なお、引換バーコードＤ３には、引換バーコードＤ３と薬袋バーコードＤ２とを区別するための情報として、引換券である旨を示す文字が含まれていてもよく、引換バーコードＤ３の発行元を示す情報が含まれていてもよい。
【００５１】
＜ステップＳ１８＞
ステップＳ１８において、制御部２１は、前記処方データに基づいて調剤された薬品が投薬窓口で投薬可能となったか否かを判断する。例えば、制御部２１は、投薬窓口に設けられているクライアント端末３Ｂにおいてバーコードリーダー３６を用いて前記薬袋から薬袋バーコードＤ２が読み取られた場合に、投薬窓口で投薬可能となったと判断することが考えられる。ここで、前記薬袋が投薬窓口に到着したと判断されると（Ｓ１８：Ｙｅｓ）、処理がステップＳ１９に移行し、前記薬袋が投薬窓口に到着したと判断されなければ（Ｓ１８：Ｎｏ）、処理が前記ステップＳ１１に戻される。
【００５２】
＜ステップＳ１９＞
ステップＳ１９において、制御部２１は、前記ステップＳ１８で前記薬袋が到着したと判断された前記処方データに対応する引換券番号を患者に報知する。具体的に、制御部２１は、患者の待合場所に配置される表示装置又は音声再生装置などを用いて、引換券番号を患者に報知する。これにより、報知された引換券番号に対応する前記引換券を有する患者が投薬窓口で薬品を受け取ることになる。
【００５３】
［投薬窓口支援処理］
続いて、図６Ａ及び図６Ｂを参照しつつ、サーバー２の制御部２１によって実行される投薬窓口支援処理の手順の一例について説明する。具体的に、制御部２１は、投薬窓口に配置されているクライアント端末３Ｂからアクセスされた場合に、当該投薬窓口支援処理を実行する。また、他の実施形態として、予め投薬窓口の担当者として設定されたユーザーがクライアント端末３にログインした状態で当該クライアント端末３からアクセスされた場合に当該投薬窓口支援処理を実行してもよい。なお、前記ログインの処理はサーバー２の制御部２１によって行われてもよい。
【００５４】
ところで、本実施形態では、調剤管理システム１が、サーバー２とクライアント端末３との間で各種のデータ通信が実行されることにより前記投薬窓口支援処理を実行するサーバクライアントシステムである場合を例に挙げて説明する。即ち、当該投薬窓口支援処理における各種情報の入力、選択、読み取りなどの各種の操作は、クライアント端末３Ｂの操作部３５又はバーコードリーダー３６を用いて行われ、当該操作の内容が制御部３１から制御部２１に送信されることにより当該制御部２１で各種の操作が受け付けられる。また、当該投薬窓口支援処理における各種情報の表示の内容が制御部２１から制御部３１に送信されることにより当該制御部３１で表示部３４に情報が表示される。一方、他の実施形態として、クライアント端末３の制御部３１がサーバー２から必要な情報を取得しつつ前記投薬窓口支援処理を実行することも考えられる。この場合、クライアント端末３を本発明に係る調剤管理システムとして捉えることもできる。
【００５５】
＜ステップＳ３０＞
ステップＳ３０において、制御部２１は、投薬窓口における業務を支援するために用いられる投薬窓口画面Ｐ１を表示する。具体的に、制御部２１は、投薬窓口画面Ｐ１に対応する表示データをクライアント端末３Ｂに送信することにより、当該投薬窓口画面Ｐ１をクライアント端末３Ｂの表示部３４に表示させる。
【００５６】
ここに、図７は、投薬窓口画面Ｐ１の一例を示す図である。図７に示されるように、制御部２１は、投薬窓口画面Ｐ１に、表示領域Ａ１１、Ａ１２、Ａ１３、Ａ２１、Ａ２２、及び操作キーＫ１１、Ｋ１２、Ｋ１３などを表示させる。なお、図７に示されるように、前記ステップＳ３０で表示される投薬窓口画面Ｐ１では各種の表示項目が空白の状態である。
【００５７】
表示領域Ａ１１には、引換券番号、患者ＩＤを入力可能な入力欄が表示されている。表示領域Ａ１２には、表示領域Ａ１１に表示される前記患者ＩＤに対応する患者名が表示される。表示領域Ａ１３には、当該投薬窓口支援処理の実行当日の日付情報が表示される。
【００５８】
また、制御部２１は、クライアント端末３Ｂの操作部３５の操作に応じて、表示領域Ａ１１の前記入力欄に引換券番号、患者ＩＤをそれぞれ入力可能である。また、制御部２１は、クライアント端末３Ｂのバーコードリーダー３６によって前記引換券から引換バーコードＤ３が読み取られた場合に、当該引換バーコードＤ３が示す処方データに対応する引換券番号、当該引換券番号に対応する患者ＩＤを前記入力欄にそれぞれ入力可能である。さらに、制御部２１は、クライアント端末３Ｂのバーコードリーダー３６によって前記薬袋からバーコードＤ２が読み取られた場合に、当該バーコードＤ２が示す処方データに対応する引換券番号、当該引換券番号に対応する患者ＩＤを前記入力欄にそれぞれ入力可能である。
【００５９】
表示領域Ａ２１及び表示領域Ａ２２は、投薬窓口画面Ｐ１において左右に並べて表示されている。表示領域Ａ２１には、表示領域Ａ１１、Ａ１２に表示されている患者について発行されている処方データのうち、処方発行日が当日である第１処方データが表示される。また、表示領域Ａ２２には、表示領域Ａ１１、Ａ１２に表示されている患者について発行されている処方データのうち、処方発行日が前日以前である第２処方データが表示される。なお、表示領域Ａ２１、Ａ２２の表示例（図１３参照）については、後段のステップＳ３６と共に説明する。
【００６０】
また、制御部２１は、ユーザーが操作部３５に対して行う操作キーＫ１１、Ｋ１２、Ｋ１３の操作を受け付けて対応する処理を実行することが可能である。具体的に、制御部２１は、操作キーＫ１１の操作に応じて、処理対象として選択されている処方データについて処理済入力を受け付ける受付処理を実行する。また、制御部２１は、操作キーＫ１２の操作に応じて、処理対象の処方データが既に処理済状態である場合に、その受け付けを解除して未処理状態にする取消処理を実行する。具体的に、制御部２１は、前記処方データに対応する処方管理情報Ｄ１に記録されている投薬完了日時の情報を消去することにより、当該処方データを未処理状態にする。さらに、制御部２１は、操作キーＫ１３の操作に応じて、処理対象の処方データについての処理を解除して処理を中断する中断処理を実行する。なお、制御部２１は、表示領域Ａ２１、Ａ２２において処方データを選択するための操作を受け付けた場合に当該処方データを処理対象として選択してもよい。
【００６１】
＜ステップＳ３１＞
ステップＳ３１において、制御部２１は、バーコードリーダー３６によって前記引換券から引換バーコードＤ３のコード情報が読み取られたか否かを判断する。具体的に、制御部２１は、前記コード情報に、処方発行日及び引換券番号が含まれており、当該コード情報が前記薬袋のコード情報である旨を示す文字（Ｙ）の情報が含まれていない場合に、引換バーコードＤ３が読み取られたと判断する。ここで、前記引換券からコード情報が読み取られていないと判断されると（Ｓ３１：Ｎｏ）、処理がステップＳ３２に移行し、前記引換券からコード情報が読み取られたと判断されると（Ｓ３１：Ｙｅｓ）、処理がステップＳ３４に移行する。
【００６２】
また、前記処方データの処理状態には、前記処理済状態及び前記未処理状態の他に、当該処方データに対応する薬品が患者に先に渡されている先渡し済状態も含まれる。例えば、制御部２１は、任意の処方データについての所定の先渡し操作がクライアント端末３Ｃ等に対して行われた場合に、当該処方データを前記先渡し済状態に遷移させる。そして、制御部２１は、前記ステップＳ３１において読み取られた引換バーコードＤ３が、既に薬品が患者に渡されている先渡し済状態の処方データに対応するものである場合には、当該処方データに対応する薬品が先渡し済である旨をクライアント端末３Ｃの表示部３４に表示させ、所定の警告音を表示部３４で鳴動させた後、処理をステップＳ３１に戻す。
【００６３】
＜ステップＳ３２＞
ステップＳ３２において、制御部２１は、バーコードリーダー３６によって前記薬袋から薬袋バーコードＤ２のコード情報が読み取られたか否かを判断する。具体的に、制御部２１は、前記コード情報に、処方発行日及び引換券番号が含まれており、且つ、当該コード情報が前記薬袋のコード情報である旨を示す文字（Ｙ）の情報が含まれている場合に、薬袋バーコードＤ２が読み取られたと判断する。ここで、前記薬袋からコード情報が読み取られていないと判断されると（Ｓ３２：Ｎｏ）、処理が前記ステップＳ３１に戻され、前記薬袋からコード情報が読み取られたと判断されると（Ｓ３２：Ｙｅｓ）、処理がステップＳ３３に移行する。
【００６４】
＜ステップＳ３３＞
ステップＳ３３において、制御部２１は、バーコードリーダー３６によって読み取られた前記コード情報が前記薬袋から読み取られたものである旨を表示部３４に表示することによりユーザーに報知する。
【００６５】
＜ステップＳ３４＞
ステップＳ３４において、制御部２１は、前記ステップＳ３１又はＳ３２で読み取られたと判断された引換バーコードＤ３又は薬袋バーコードＤ２に対応する処方データを処理対象として選択する。ここに、係る処理は制御部２１の選択処理部２１２によって実行される。なお、他の実施形態として、引換バーコードＤ３が読み取られた場合にのみ、当該引換バーコードＤ３に対応する処方データを処理対象として選択し、薬袋バーコードＤ２が読み取られた場合にのみ、当該薬袋バーコードＤ２に対応する処方データを処理対象として選択しないことも考えられる。
【００６６】
＜ステップＳ３５＞
ステップＳ３５において、制御部２１は、データ記憶部２２の処方データ記憶部２２１に記憶されている処方データのうち、前記ステップＳ３４で選択された前記処方データと患者が同じ処方データを検索する検索処理を実行する。前記検索処理における検索対象には、処方発行日が当日である処方データと、処方発行日が当日よりも前である処方データとが含まれる。また、前記検索対象には、受付処理部２１１により未だ処理済入力が受け付けられていない未処理状態の処方データと、処理済入力が既に受け付けられている処理済状態の処方データとが含まれる。
【００６７】
＜ステップＳ３６＞
ステップＳ３６において、制御部２１は、前記ステップＳ３５による検索結果を表示するための処理を実行する。ここで、制御部２１は、前記検索結果として、選択処理部２１２により選択された前記処方データと患者が同じ処方データであって受付処理部２１１により処理済入力が受け付けられていない処方データに関する情報を、当日に発行された第１処方データと当該当日よりも前に発行された第２処方データとが区別可能な態様で表示する。具体的に、制御部２１は、前記検索結果を表示するための表示データを前記クライアント端末３Ｂに送信することにより当該クライアント端末３Ｂの表示部３４の投薬窓口画面Ｐ１に当該検索結果を表示させる。ここに、図８は、前記検索結果が表示された投薬窓口画面Ｐ１の一例を示す図である。
【００６８】
図８に示されるように、表示領域Ａ１１、Ａ１２には、前記ステップＳ３１又はＳ３２で読み取られた引換バーコードＤ３又は薬袋バーコードＤ２に対応する前記処方データの引換券番号、患者ＩＤ、患者名が表示されている。
【００６９】
また、図８に示されるように、表示領域Ａ２１、Ａ２２には、表示領域Ａ１１、Ａ１２に表示されている患者について発行されている処方データのうち、未だ処理済入力が受け付けられていない処方データが表示される。即ち、患者が薬品を受け取っていない未交付の処方データの一覧が表示される。特に、表示領域Ａ２１には、表示領域Ａ１１、Ａ１２に表示されている患者について発行されている処方データのうち、処方発行日が当日である第１処方データが表示されている。一方、表示領域Ａ２２には、表示領域Ａ１１、Ａ１２に表示されている患者について発行されている処方データのうち、処方発行日が当日より前である第２処方データが表示されている。また、表示領域Ａ２１、Ａ２２では、処理対象として現在選択されている処方データが識別可能となるように、当該処方データの背景色が青色のような予め定められた特定の色で表示され、又は、当該処方データが選択されている旨を示す文字、記号、又はマークなどが当該処方データに対応付けて表示される。また、表示領域Ａ２１、Ａ２２では、未交付の処方データの一覧の上部に当該未交付の処方データの合計件数が表示されており、当該表示領域Ａ２１、Ａ２２では、当該合計件数の表示が固定されたまま、スクロール表示により表示対象の処方データを変更することが可能である。なお、表示領域Ａ２２では、残置薬として薬袋が保管されている未交付の処方データのうち、処方発行日から予め設定される所定の保管期間（例えば３ヶ月又は６ヶ月など）を超過した処方データは表示されない。前記所定の保管期間は、固定期間であってもよいが、ユーザー毎又は患者毎に予め設定可能であってもよい。
【００７０】
このように、投薬窓口画面Ｐ１では、処理対象の処方データに対応する患者について、未だ処理済入力が受け付けられていない処方データについて、当日に発行された第１処方データに関する情報は表示領域Ａ２１に表示されると共に、当日よりも前に発行された第２処方データに関する情報は表示領域Ａ２２に表示される。これにより、ユーザーは、表示位置によって両者を容易に区別して確認することが可能である。また、当日に発行された処方データに基づく薬品を取りに来た患者について、過去に渡し漏れのあった残置薬があるか否かを容易に把握することが可能である。なお、投薬窓口画面Ｐ１において前記第１処方データ及び前記第２処方データを区別可能に表示する手法はここで説明した態様に限らず、例えば文字色、背景色、サイズ、表示位置などのいずれか一つ又は複数の組み合わせについて異なる表示態様で表示されてもよい。
【００７１】
また、他の実施形態として、投薬窓口画面Ｐ１に、処理対象の処方データに対応する患者について、既に処理済入力が受け付けられた処方データが更に表示されてもよい。また、既に処理済入力が受け付けられた処方データの表示の有無が切り替え可能であってもよい。ここに、図９は、投薬窓口画面Ｐ１の他の例を示す図である。図９に示されるように、表示領域Ａ２１、Ａ２２において、前記第１処方データ及び前記第２処方データが、未だ処理済入力が受け付けられていない方データと、既に処理済入力が受け付けられている処方データとが区別可能な態様で更に表示されることが考えられる。例えば、表示領域Ａ２１、Ａ２２各々では、未だ処理済入力が受け付けられていない処方データは背景色が白色で表示され、既に処理済入力が受け付けられている処方データは背景色が灰色で表示される。ここで、表示領域Ａ２１、Ａ２２各々では、処理対象として現在選択されている処方データが識別可能となるように、当該処方データの背景色が青色のような予め定められた特定の色で表示され、又は、当該処方データが選択されている旨を示す文字、記号、又はマークなどが当該処方データに対応付けて表示される。即ち、表示領域Ａ２１、Ａ２２各々において、未だ処理済入力が受け付けられていない処方データであって処理対象として現在選択されている処方データと、未だ処理済入力が受け付けられていない他の処方データと、既に処理済入力が受け付けられている処方データとが区別可能に表示される。なお、投薬窓口画面Ｐ１において処理済入力の有無を区別可能に表示する手法はこれに限らず、例えば文字色、背景色、サイズ、表示位置などのいずれか一つ又は複数の組み合わせについて異なる表示態様で表示されてもよい。この場合にも同様に、表示領域Ａ２１、Ａ２２では、未交付の処方データの一覧の上部に当該未交付の処方データの合計件数が表示されており、当該表示領域Ａ２１、Ａ２２では、当該合計件数の表示が固定されたまま、スクロール表示により表示対象の処方データを変更することが可能である。なお、表示領域Ａ２２では、残置薬として薬袋が保管されている未交付の処方データのうち予め設定される所定の保管期間を超過した処方データは表示されない。前記所定の保管期間は、固定期間であってもよいが、ユーザー毎又は患者毎に予め設定可能であってもよい。
【００７２】
さらに、他の実施形態として、投薬窓口画面Ｐ１に表示される処方データのうち処理済入力が受け付けられていない未処理状態の処方データについては、当該処方データについての調剤が完了しているか否か、又は薬品が投薬窓口に到着しているか否かなどの進捗状況が処方管理情報Ｄ１に基づいて表示されることが考えられる。
【００７３】
＜ステップＳ３７＞
ステップＳ３７において、制御部２１は、引換バーコードＤ３が読み取られたか否かを判断する。ここで、引換バーコードＤ３が読み取られたと判断されると（Ｓ３７：Ｙｅｓ）、処理はステップＳ３８に移行し、引換バーコードＤ３が読み取られていないと判断されると（Ｓ３７：Ｎｏ）、処理はステップＳ３９に移行する。
【００７４】
＜ステップＳ３８＞
ステップＳ３８において、制御部２１は、処理対象として選択される処方データを更新する。具体的に、制御部２１は、前記ステップＳ３７で読み取られたと判断された引換バーコードＤ３に対応する前記処方データを処理対象として選択する。なお、制御部２１は、投薬窓口画面Ｐ１の表示領域Ａ２１、Ａ２２において、当該ステップＳ３８における更新後の処理対象となる処方データを識別可能に表示させる。
【００７５】
＜ステップＳ３９＞
ステップＳ３９において、制御部２１は、薬袋バーコードＤ２が読み取られたか否かを判断する。ここで、薬袋バーコードＤ２が読み取られたと判断されると（Ｓ３９：Ｙｅｓ）、処理はステップＳ４０に移行し、薬袋バーコードＤ２が読み取られていないと判断されると（Ｓ３９：Ｎｏ）、処理はステップＳ３９１に移行する。
【００７６】
＜ステップＳ３９１＞
ステップＳ３９１において、制御部２１は、処理対象の処方データについて処理済入力を受け付けるための手動操作が行われたか否かを判断する。具体的に、制御部２１は、投薬窓口画面Ｐ１に表示されている操作キーＫ１１が操作部３５によって操作された場合に前記手動操作が行われたと判断する。ここで、前記手動操作が行われたと判断されると（Ｓ３９１：Ｙｅｓ）、処理がステップＳ４２に移行し、前記手動操作が行われていないと判断されると（Ｓ３９１：Ｎｏ）、処理が前記ステップＳ３７に戻される。
【００７７】
＜ステップＳ４０＞
ステップＳ４０において、制御部２１は、現在処理対象となっている処方データと前記ステップＳ３９で読み取られたと判断された薬袋バーコードＤ２に対応する処方データとが一致するか否かを判定する照合処理を実行する。
【００７８】
なお、本実施形態では、前記薬袋及び前記引換券にそれぞれ異なる薬袋バーコードＤ２及び引換バーコードＤ３が印刷される場合を例に挙げて説明する。一方、他の実施形態として、前記薬袋及び前記引換券に同一のコード情報が印刷されており、当該投薬窓口支援処理の前記ステップＳ４０の照合処理では、同一のコード情報が連続して２回読み取られた場合に一致であると判定されることも考えられる。
【００７９】
＜ステップＳ４１＞
ステップＳ４１において、制御部２１は、前記ステップＳ４０における照合結果が一致であるか否かを判断する。ここで、照合結果が一致であると判断されると（Ｓ４１：Ｙｅｓ）、処理がステップ４２に移行する。一方、制御部２１は、照合結果が一致でないと判断すると（Ｓ４１：Ｎｏ）、例えばエラーメッセージ等を表示部３４に表示させ、又はエラー報知音を表示部３４で鳴動させた後、処理を前記ステップＳ３７に戻す。即ち、前記ステップＳ４０〜Ｓ４１では、患者が保有する前記引換券と患者に渡されるべき前記薬袋との照合が行われることになり、患者に誤った薬品が渡されることが抑止される。
【００８０】
＜ステップＳ４２＞
ステップＳ４２において、制御部２１は、処理対象の処方データの処理状態を更新する。具体的に、制御部２１は、処方データ記憶部２２１に記憶されている前記処方データに対応する処方管理情報Ｄ１における「投薬完了日時」に現在日時を記録することにより、当該処方データを処理済みにする。
【００８１】
＜ステップＳ４３＞
ステップＳ４３において、制御部２１は、処理対象の前記処方データと患者が同じ他の処方データの中に当日の未処理状態の処方データが存在するか否かを判断する。具体的に、制御部２１は、処方データ記憶部２２１に記憶されている処方データのうち、処理対象の前記処方データと患者が同じで処方発行日が当日である他の処方データであって、処理状態が未処理状態である処方データが存在するか否かを判断する。ここで、当日の未処理状態の処方データが存在すると判断されると（Ｓ４３：Ｙｅｓ）、「未処理の処方データがあります」などのメッセージが表示された後、処理が前記ステップＳ３５に戻される。一方、当日の未処理状態の処方データが存在しないと判断されると（Ｓ４３：Ｎｏ）、「当日の処方が完了しました」などのメッセージが表示された後、処理がステップＳ４４に移行する。
【００８２】
＜ステップＳ４４＞
ステップＳ４４において、制御部２１は、必要に応じて前記ラベルを印刷する印刷処理を実行する。なお、係る処理は制御部２１の印刷処理部２１５によって実行される。例えば、制御部２１は、処理対象の前記処方データに当該処方データがおくすり手帳発行対象である旨を示す発行対象情報が含まれているか否かを判定し、前記発行対象情報が含まれている場合に、前記ステップＳ４１で照合結果が一致であると判断された一又は複数の前記処方データに対応する前記ラベルを印刷する。一方、前記処方データがおくすり手帳発行対象である旨を示す発行対象情報が記録されていない場合には前記ラベルが印刷されない。なお、制御部２１は、発行日が当日である前記処方データに限らず、発行日が当日よりも前である前記処方データについても前記ラベルを印刷してもよい。
【００８３】
＜ステップＳ４５＞
ステップＳ４５において、制御部２１は、処理対象の前記処方データと患者が同じ他の処方データの中に処方発行日が当日よりも前である未処理状態の処方データが存在するか否かを判断する。具体的に、制御部２１は、処方データ記憶部２２１に記憶されている処方データのうち処理対象の前記処方データと患者が同じで処方発行日が当日よりも前である他の処方データであって、処理状態が未処理状態の処方データが存在するか否かを判断する。ここで、未処理状態の処方データが存在すると判断されると（Ｓ４５：Ｙｅｓ）、「未処理の処方データがあります」などのメッセージが表示された後、処理が前記ステップＳ３５に戻される。一方、未処理状態の処方データが存在しないと判断されると（Ｓ４５：Ｎｏ）、「未処理の処方データはありません」などのメッセージが表示された後、処理対象の処方データの選択状態が解除され、処理が前記ステップＳ３０に戻される。
【００８４】
以上説明したように、本実施形態に係る調剤管理システム１によれば、患者が投薬窓口に薬品を取りに来た際に、投薬窓口の担当者は、当該患者が過去に受け取りを忘れている残置薬の有無を容易に把握することができる。特に、投薬窓口では、当日に発行された処方データに対応する薬品の薬袋と、前日までに発行された処方データに対応する残置薬の薬袋とが異なる場合に保管されていることがある。この場合でも、調剤管理システム１では、患者が薬品を取りに来た際に、当日に発行された処方データと前日までに発行された処方データとが区別可能な態様で表示される。そのため、患者が取りに来た薬品が残置薬であるか否かを容易に把握することができ、当該薬品を取り出すべき保管場所に迷わないため、投薬窓口における作業の効率化が図られる。
【００８５】
また、制御部２１は、任意のタイミングでユーザー操作に応じてクライアント端末３Ｃから保管期間超過検索要求を受け付けた場合に、処方データ記憶部２２１に記憶されている処方データのうち未処理状態の処方データであって、処方発行日から予め設定された所定の保管期間を超過している処方データを検索する機能を有する。なお、前記所定の保管期間は、固定期間であってもよいが、ユーザー毎又は患者毎に予め設定可能であってもよい。そして、制御部２１は、前記所定の保管期間を超過している処方データの一覧を示す超過一覧データをクライアント端末３Ｃの表示部３４に表示させる。その後、制御部２１は、ユーザー操作に応じて前記超過一覧データから選択される一又は複数の前記処方データについての削除要求を受け付けた場合に、当該処方データを前記表示領域Ａ２２への表示対象から除外するための処理を実行する。例えば、制御部２１は、削除要求の対象となっている処方データについて非表示対象情報を対応付けて処方データ記憶部２２１に記憶し、当該処方データを表示領域Ａ２２における表示対象から除外することが考えられる。また、制御部２１は、削除要求の対象となった前記処方データを処方データ記憶部２２１から削除することにより表示領域Ａ２２における表示対象から除外してもよい。さらに、制御部２１は、前記処方データの削除要求を受け付けた場合に、当該処方データを処理済みにすることにより表示領域Ａ２２における表示対象から除外してもよい。なお、制御部２１は、前記所定の保管期間が超過した前記処方データを自動的に削除要求の対象として処理してもよい。また、制御部２１は、削除要求の対象となった前記処方データの一覧をプリンタ８によって印刷出力すること、又は所定の宛先に送信することも考えられる。
【符号の説明】
【００８６】
１      調剤管理システム
２      サーバー
２１    制御部
２２    データ記憶部
２２１  処方データ記憶部
２２２  管理データ記憶部
３      クライアント端末
３１    制御部
３２    データ記憶部
３６    バーコードリーダー
６      上位システム
７      調剤機器
８      プリンタ
【図１】
2020149276.tif 000003
【図２】
2020149276.tif 000004
【図３】
2020149276.tif 000005
【図４】
2020149276.tif 000006
【図５】
2020149276.tif 000007
【図６Ａ】
2020149276.tif 000008
【図６Ｂ】
2020149276.tif 000009
【図７】
2020149276.tif 000010
【図８】
2020149276.tif 000011
【図９】
2020149276.tif 000012